【手続補正書】
【提出日】平成16年10月12日(2004.10.12)
【手続補正１】
【補正対象書類名】特許請求の範囲
【補正対象項目名】全文
【補正方法】変更
【補正の内容】
【特許請求の範囲】
【請求項１】
画像読み取りを行う画像読取手段を備え、前記画像読取手段と原稿画像とを相対移動させて前記原稿画像の読み取りを行う画像読取装置であって、
原稿台上に並べられた複数の原稿画像を読み取る際に、一つの原稿画像の読み取り後、次の原稿画像の読み取り開始前に、前記相対移動を一時的に停止させることを特徴とする画像読取装置。
【請求項２】
前記原稿台上に並べられた複数の原稿画像を読み取る際に、一つの原稿画像の読み取り後、次の原稿画像の読み取り開始前に、前記画像読取手段と前記原稿画像との相対位置をホームポジションに戻す動作と、前記相対位置をホームポジションに戻さずに前記相対移動を一時的に停止させる動作とを選択的に実行することを特徴とする請求項１に記載の画像読取装置。
【請求項３】
前記原稿台上に並べられた複数の原稿画像を読み取る際に、一つの原稿画像の読み取り後、次の原稿画像の読み取り開始前に、前記画像読取手段と前記原稿画像との相対位置を所定距離戻す動作と、前記相対位置を戻さずに前記相対移動を一時的に停止させる動作とを選択的に実行することを特徴とする請求項１に記載の画像読取装置。
【請求項４】
前記原稿台上に並べられた複数の原稿画像を読み取る際に、一つの原稿画像の読み取り後、次の原稿画像の読み取り開始前に、前記画像読取手段と前記原稿画像との相対位置をホームポジションに戻す動作と、前記相対位置をホームポジションに戻さずに前記相対移動を一時的に停止させる動作と、前記相対位置を所定距離戻す動作とを選択的に実行することを特徴とする請求項１に記載の画像読取装置。
【請求項５】
前記所定距離は、読み取り速度、読み取り解像度、原稿の副走査方向における間隔及び加速に必要な距離の少なくとも一つより算出されることを特徴とする請求項３又は４に記載の画像読取装置。
【請求項６】
前記選択を、複数の原稿画像が前記相対移動方向に重なっているか、次原稿の読み取りまでの加速に必要な距離があるかのいずれか又は両方に基いて実行することを特徴とする請求項３又は４に記載の画像読取装置。
【請求項７】
原稿画像の読み取りごとにキャリブレーションデータを取得する設定がされている場合、前記ホームポジションに戻ることを特徴とする請求項２又は４に記載の画像読取装置。
【請求項８】
画像読み取りを行う画像読取手段を備え、前記画像読取手段と原稿画像とを相対移動させて前記原稿画像の読み取りを行う画像読取装置であって、
原稿台上に並べられた複数の原稿画像を読み取る際に、一つの原稿画像の読み取り後、次の原稿画像の読み取り開始前に、前記画像読取手段と前記原稿画像との相対位置を所定距離戻すことを特徴とする画像読取装置。
【請求項９】
前記原稿台上に並べられた複数の原稿画像を読み取る際に、前記制御手段は、一つの原稿画像の読み取り後、次の原稿画像の読み取り開始前に、前記画像読取手段と前記原稿画像との相対位置をホームポジションまで戻す動作と、前記相対位置をホームポジションまで戻さずに所定距離戻す動作とを選択的に実行することを特徴とする請求項８に記載の画像読取装置。
【請求項１０】
前記所定距離は、読み取り速度、読み取り解像度、原稿の副走査方向における間隔及び加速に必要な距離の少なくとも一つより算出されることを特徴とする請求項８又は９に記載の画像読取装置。
【請求項１１】
前記選択を、複数の原稿画像が前記相対移動方向に重なっているか、次原稿の読み取りまでの加速に必要な距離があるかのいずれか又は両方に基いて実行することを特徴とする請求項８又は９に記載の画像読取装置。
【請求項１２】
原稿画像の読み取りごとにキャリブレーションデータを取得する設定がされている場合、前記ホームポジションに戻ることを特徴とする請求項９に記載の画像読取装置。
【請求項１３】
画像読み取りを行う画像読取手段を備え、前記画像読取手段と原稿画像とを相対移動させて前記原稿画像の読み取りを行う画像読取装置であって、
原稿台上に並べられた複数の原稿画像を読み取る際に、複数の原稿画像の読み取り順を、前記記相対移動の総移動距離が最短になるように前記相対移動を制御することを特徴とする画像読取装置。
【請求項１４】
前記複数の原稿画像は、写真フィルム上に撮影された複数コマの画像であることを特徴とする請求項１乃至１３のいずれか１項に記載の画像読取装置。
【請求項１５】
画像読み取りを行う画像読取手段を用い、前記画像読取手段と原稿画像とを相対移動させて前記原稿画像の読み取りを実行させる画像読取装置の制御プログラムであって、
原稿台上に並べられた複数の原稿画像を読み取る際に、一つの原稿画像の読み取り後、次の原稿画像の読み取り開始前に、前記相対移動を一時的に停止させる制御を実行させることを特徴とする画像読取装置の制御プログラム。
【請求項１６】
前記原稿台上に並べられた複数の原稿画像を読み取る際に、一つの原稿画像の読み取り後、次の原稿画像の読み取り開始前に、前記画像読取手段と前記原稿画像との相対位置をホームポジションに戻す制御と、前記相対位置をホームポジションに戻さずに前記相対移動を一時的に停止させる制御とを選択的に実行させることを特徴とする請求項１５に記載の画像読取装置の制御プログラム。
【請求項１７】
前記原稿台上に並べられた複数の原稿画像を読み取る際に、一つの原稿画像の読み取り後、次の原稿画像の読み取り開始前に、前記画像読取手段と前記原稿画像との相対位置を所定距離戻す制御と、前記相対位置を戻さずに前記相対移動を一時的に停止させる制御とを選択的に実行させることを特徴とする請求項１５に記載の画像読取装置の制御プログラム。
【請求項１８】
前記原稿台上に並べられた複数の原稿画像を読み取る際に、一つの原稿画像の読み取り後、次の原稿画像の読み取り開始前に、前記画像読取手段と前記原稿画像との相対位置をホームポジションに戻す制御と、前記相対位置をホームポジションに戻さずに前記相対移動を一時的に停止させる制御と、前記相対位置を所定距離戻す制御とを選択的に実行させることを特徴とする請求項１５に記載の画像読取装置の制御プログラム。
【請求項１９】
前記所定距離は、読み取り速度、読み取り解像度、原稿の副走査方向における間隔及び加速に必要な距離の少なくとも一つより算出されることを特徴とする請求項１７又は１８に記載の画像読取装置の制御プログラム。
【請求項２０】
前記選択を、複数の原稿画像が前記相対移動方向に重なっているか、次原稿の読み取りまでの加速に必要な距離があるかのいずれか又は両方に基いて実行させることを特徴とする請求項１７又は１８に記載の画像読取装置の制御プログラム。
【請求項２１】
原稿画像の読み取りごとにキャリブレーションデータを取得する設定がされている場合、前記ホームポジションに戻る制御を実行させることを特徴とする請求項１６又は１８に記載の画像読取装置の制御プログラム。
【請求項２２】
画像読み取りを行う画像読取手段を用い、前記画像読取手段と原稿画像とを相対移動させて前記原稿画像の読み取りを実行させる画像読取装置の制御プログラムであって、
原稿台上に並べられた複数の原稿画像を読み取る際に、一つの原稿画像の読み取り後、次の原稿画像の読み取り開始前に、前記画像読取手段と前記原稿画像との相対位置を所定距離戻す制御を実行させることを特徴とする画像読取装置の制御プログラム。
【請求項２３】
前記原稿台上に並べられた複数の原稿画像を読み取る際に、一つの原稿画像の読み取り後、次の原稿画像の読み取り開始前に、前記画像読取手段と前記原稿画像との相対位置をホームポジションまで戻す制御と、前記相対位置をホームポジションまで戻さずに所定距離戻す制御とを選択的に実行させることを特徴とする請求項２２に記載の画像読取装置の制御プログラム。
【請求項２４】
前記所定距離は、読み取り速度、読み取り解像度、原稿の副走査方向における間隔及び加速に必要な距離の少なくとも一つより算出されることを特徴とする請求項２２又は２３に記載の画像読取装置の制御プログラム。
【請求項２５】
前記選択を、複数の原稿画像が前記相対移動方向に重なっているか、次原稿の読み取りまでの加速に必要な距離があるかのいずれか又は両方に基いて実行させることを特徴とする請求項２２又は２３に記載の画像読取装置の制御プログラム。
【請求項２６】
原稿画像の読み取りごとにキャリブレーションデータを取得する設定がされている場合、前記ホームポジションに戻る制御を実行させることを特徴とする請求項２３に記載の画像読取装置の制御プログラム。
【請求項２７】
画像読み取りを行う画像読取手段を用い、前記画像読取手段と原稿画像とを相対移動させて前記原稿画像の読み取りを実行させる画像読取装置の制御プログラムであって、
原稿台上に並べられた複数の原稿画像を読み取る際に、複数の原稿画像の読み取り順を、前記記相対移動の総移動距離が最短になるように前記相対移動を実行させることを特徴とする画像読取装置の制御プログラム。
【請求項２８】
前記複数の原稿画像は、写真フィルム上に撮影された複数コマの画像であることを特徴とする請求項１５乃至２７のいずれか１項に記載の画像読取装置の制御プログラム。
【請求項２９】
請求項１５乃至２８のいずれか１項に記載の制御プログラムを格納したことを特徴とするコンピュータ読み取り可能な記憶媒体。
【手続補正２】
【補正対象書類名】明細書
【補正対象項目名】０００７
【補正方法】変更
【補正の内容】
【０００７】
請求項１に記載の画像読取装置は、画像読み取りを行う画像読取手段を備え、前記画像読取手段と原稿画像とを相対移動させて前記原稿画像の読み取りを行う画像読取装置であって、原稿台上に並べられた複数の原稿画像を読み取る際に、一つの原稿画像の読み取り後、次の原稿画像の読み取り開始前に、前記相対移動を一時的に停止させることを特徴とする。
【手続補正３】
【補正対象書類名】明細書
【補正対象項目名】０００８
【補正方法】変更
【補正の内容】
【０００８】
請求項８に記載の画像読取装置は、画像読み取りを行う画像読取手段を備え、前記画像読取手段と原稿画像とを相対移動させて前記原稿画像の読み取りを行う画像読取装置であって、原稿台上に並べられた複数の原稿画像を読み取る際に、一つの原稿画像の読み取り後、次の原稿画像の読み取り開始前に、前記画像読取手段と前記原稿画像との相対位置を所定距離戻すことを特徴とする。
【手続補正４】
【補正対象書類名】明細書
【補正対象項目名】０００９
【補正方法】変更
【補正の内容】
【０００９】
請求項１３に記載の画像読取装置は、画像読み取りを行う画像読取手段を備え、前記画像読取手段と原稿画像とを相対移動させて前記原稿画像の読み取りを行う画像読取装置であって、原稿台上に並べられた複数の原稿画像を読み取る際に、複数の原稿画像の読み取り順を、前記記相対移動の総移動距離が最短になるように前記相対移動を制御することを特徴とする。